(57)【要約】  【課題】ＣＤに記録された楽曲を再生するディスク再生部と、再生された楽曲を回転ヘッドによってビデオテープに記録するビデオテープ記録再生部とが同一筐体内に備えられた記録再生装置において、簡単な構成で楽曲に関連する情報をビデオテープに記録し、ビデオテープ再生時には、楽曲が再生されると共に、その楽曲に関連する文字情報が外部表示装置に表示される。  【解決手段】ユーザがリモコン操作により入力した楽曲関連情報を２値化信号に変換（Ｓ２）した後、メモリに一時記憶する（Ｓ３）。ディスク再生部によって再生された楽曲情報がビデオテープへ記録開始されると（Ｓ４でＹＥＳ）、それに同期して、メモリに記憶された２値化信号が、対応する２種類の周波数の音声信号に変換されて、音声録再ヘッドを介してビデオテープのオーディオトラックへ記録される（Ｓ５）。メモリ内に記憶された２値化信号が全て記録されれば、終了する（Ｓ６でＹＥＳ）。【選択図】図３
2006236455.tif 000002
【特許請求の範囲】
【請求項１】
１又は複数の楽曲がデジタル記録されたコンパクトディスクから楽曲情報を読出し、アナログ信号に変換して出力するディスク再生部と、前記ディスク再生部から出力される楽曲情報を回転ヘッドによってビデオテープのビデオトラックにアジマス記録するビデオテープ記録再生部とが同一筐体内に備えられ、
前記ビデオテープ記録再生部には、前記ビデオテープのオーディオトラックへの音声記録を行うと共に、前記オーディオトラックに記録された音声信号の再生を行う音声録再ヘッドを有し、
前記ディスク再生部及びビデオテープ記録再生部が、別体のリモコンからのコマンド信号によって操作される記録再生装置において、
前記リモコンに、前記楽曲情報に関する曲名、歌手等の楽曲関連情報を入力可能な楽曲関連情報入力手段を設け、
前記リモコンの楽曲関連情報入力手段を介して前記記録再生装置へ入力された楽曲関連情報を２値化信号に変換する２値化手段と、
前記２値化手段によって２値化された信号を一時記憶する記憶手段と、
前記記憶手段に記憶された２値化信号を、２値にそれぞれ対応する異なった２周波数の音声帯域のアナログ信号に変換して前記音声録再ヘッドへ出力し、ビデオテープのオーディオトラックへ記録させる楽曲関連情報記録手段と、
前記ディスク再生部から出力される楽曲情報が前記ビデオテープのビデオトラックにアジマス記録される時に同期して、前記楽曲関連情報記録手段を能動とする同期化手段と、
前記楽曲関連情報記録手段及び前記同期化手段によって前記オーディオトラックに楽曲関連情報が記録されたビデオテープを前記ビデオテープ記録再生部において再生する時に、前記音声録再ヘッドによって読み出される２周波数のアナログ信号を２値化信号に変換する変換手段と、
前記変換手段によって変換された２値化信号を文字情報に変換して、テレビジョン受信機等の外部表示装置へ出力する文字情報出力手段とを備え、
前記コンパクトディスクから読出した楽曲情報を前記ビデオテープのビデオトラックへ記録する時に、前記リモコンの楽曲関連情報入力手段を介してユーザが入力した楽曲関連情報が前記ビデオテープのオーディオトラックに２周波数のアナログ信号として各楽曲情報の先頭位置に記録され、前記ビデオテープを再生する時に、各楽曲情報の先頭位置に記録された楽曲関連情報が、前記音声録再ヘッドにより読み出され、文字情報としてテレビジョン受信機等の外部表示装置へ表示されることを特徴とする記録再生装置。
【請求項２】
１又は複数の楽曲がデジタル記録されたディスク媒体から楽曲情報を読出し、アナログ信号に変換して出力するディスク再生部と、前記ディスク再生部から出力される楽曲情報を回転ヘッドによってビデオテープのビデオトラックにアジマス記録するビデオテープ記録再生部とが同一筐体内に備えられ、
前記ビデオテープ記録再生部には、前記ビデオテープのオーディオトラックへの音声記録を行うと共に、前記オーディオトラックに記録された音声信号の再生を行う音声録再ヘッドを有し、
前記ディスク再生部及びビデオテープ記録再生部が、別体のリモコンからのコマンド信号によって操作される記録再生装置において、
前記リモコンに、前記楽曲情報に関する曲名、歌手等の楽曲関連情報を入力可能な楽曲関連情報入力手段を設け、
前記リモコンの楽曲関連情報入力手段を介して前記記録再生装置へ入力された楽曲関連情報をデジタル信号に変換するデジタル化手段と、
前記デジタル化手段によってデジタル化された信号を、デジタル値に対応する異なった複数周波数のアナログ信号に変換して前記音声録再ヘッドへ出力し、ビデオテープのオーディオトラックへ記録させる楽曲関連情報記録手段と、
前記楽曲関連情報記録手段によって前記オーディオトラックに楽曲関連情報が記録されたビデオテープを前記ビデオテープ記録再生部において再生する時に、前記音声録再ヘッドによって読み出される異なった複数周波数のアナログ信号をデジタル信号に変換する変換手段と、
前記変換手段によって変換されたデジタル信号を文字情報に変換して、テレビジョン受信機等の外部表示装置へ出力する文字情報出力手段とを備え、
前記ディスク媒体から読出した楽曲情報を前記ビデオテープのビデオトラックへ記録する時に、前記リモコンの楽曲関連情報入力手段を介してユーザが入力した楽曲関連情報が前記ビデオテープのオーディオトラックに複数の異なった周波数のアナログ信号として記録され、前記ビデオテープを再生する時に、楽曲関連情報が、前記音声録再ヘッドにより読み出され、文字情報としてテレビジョン受信機等の外部表示装置へ表示されることを特徴とする記録再生装置。
【請求項３】
前記デジタル化手段によってデジタル化された楽曲関連情報を一時記憶し、少なくとも前記ディスク媒体から読出した楽曲情報が前記ビデオテープのビデオトラックへ記録開始されるまで保持する記憶手段をさらに備え、前記記憶手段に記憶された楽曲関連情報は、前記ディスク媒体から読出した各楽曲情報が前記ビデオテープのビデオトラックへ記録される毎に読出されて前記楽曲関連情報記録手段へと送られることを特徴とする請求項２に記載の記録再生装置。
【発明の詳細な説明】
【技術分野】
【０００１】
本発明は、記録再生装置に関し、詳しくは、楽曲がデジタル記録されたディスク媒体から楽曲情報を読出しアナログ信号に変換して出力するディスク再生部と、楽曲情報を回転ヘッドによってビデオテープのビデオトラックに記録するビデオテープ記録再生部とが同一筐体内に備えられた記録再生装置に関する。
【背景技術】
【０００２】
装着したＤＶＤ（Ｄｉｇｉｔａｌ  Ｖｅｒｓａｔｉｌｅ  Ｄｉｓｃ）等のディスク媒体から音声と映像を読出し、テレビジョン受信機等の外部表示装置に出力する光ディスク装置の機能と、装着したビデオテープから音声と映像を読出し、同じく外部表示装置に出力するビデオテープレコーダの機能が同一筐体内に備えられた複合型の記録再生装置が普及している。この複合型の記録再生装置は、ユーザがテレビジョン受信機を中心としてオーディオ・ビジュアルシステムを家庭内において構成する時に、個別に光ディスク装置とビデオテープレコーダを設置する場合に比べて、設置場所が小さくて済むとか、購入費用が割安になる等の利点がある。また、例えば光ディスク装置側に装着したＤＶＤの映像をビデオテープレコーダ側のビデオテープにダビング録画する時の操作が簡単である等、操作性においても種々の長所を備えている。
【０００３】
さらに、上記記録再生装置は、光ディスク装置側にＣＤ（Ｃｏｍｐａｃｔ  Ｄｉｓｃ）を装着して、ＣＤに記録された音楽を聴くことができ、ビデオテープレコーダ側がハイファイ機能を備えていれば、ＣＤに記録された音楽を高い品質のまま簡単にビデオテープへ録音することができる。
【０００４】
一方、デジタルＶＣＲにおいて、カセットテープ内に記録された映像の大略の内容を、そのテープを再生して視聴しなくとも把握できるように、テープに記録されたデータの一部をＶＣＲ内部に設けたメモリに記録させる技術が知られている（例えば、特許文献１参照）。
【０００５】
また、デジタルテレビ放送とアナログテレビ放送の両方を記録再生できるＶＣＲで記録されたビデオテープをアナログＶＣＲで再生しようとした時に、アナログＶＣＲではデジタル記録された内容が再生できないことから、誤ってデジタル記録された内容を消去してしまわないように、アラーム音声をビデオテープのオーディオトラックに記録する技術が知られている（例えば、特許文献２参照）。
【特許文献１】特開平１１−２９７０３８号公報
【特許文献２】特開平１１−５３８３１号公報
【発明の開示】
【発明が解決しようとする課題】
【０００６】
上述のように、光ディスク装置の機能と、ハイファイビデオテープレコーダの機能を同一筐体内に備えた複合型の記録再生装置では、装着したＣＤ内の音楽を、簡単にビデオテープへとダビング録音できる。ところが、この機能を用いて音楽をハイファイ記録したビデオテープを再生する場合に、音楽のみしか再生できず、光ディスク装置及びハイファイビデオテープレコーダの高い機能を活かし切れていなかった。つまり、この種の記録再生装置では、通常テレビジョン受信機が映像の表示装置として接続され、この表示装置にビデオテープを再生して生成される音楽に関連した画像を表示することが、ユーザの興趣を増すために必要と考えられたが、そのためには、多くの部品や回路を増設しなければならず、簡単な構成で上記の機能を実現する装置は存在しなかった。
【０００７】
本発明は、上述の記録再生装置において、簡単な構成で、光ディスク装置側に装着したＣＤ内の音楽をビデオテープレコーダ側のビデオテープへダビング録音する場合に、ユーザがリモコンを用いて予め、それらの音楽に関連する曲名、歌手等の情報を入力しておけば、ダビング録音時に、それらの関連情報がビデオテープに記録され、その後、作成されたビデオテープを再生する時には、高い品質で音楽が再生されると共に、その音楽に関連する曲名、歌手等の情報が外部表示装置に表示され、ユーザの興趣が大きく高まる記録再生装置を提供することを目的とする。
【課題を解決するための手段】
【０００８】
上記目的を達成するための請求項１の発明は、１又は複数の楽曲がデジタル記録されたコンパクトディスクから楽曲情報を読出し、アナログ信号に変換して出力するディスク再生部と、前記ディスク再生部から出力される楽曲情報を回転ヘッドによってビデオテープのビデオトラックにアジマス記録するビデオテープ記録再生部とが同一筐体内に備えられ、前記ビデオテープ記録再生部には、前記ビデオテープのオーディオトラックへの音声記録を行うと共に、前記オーディオトラックに記録された音声信号の再生を行う音声録再ヘッドを有し、前記ディスク再生部及びビデオテープ記録再生部が、別体のリモコンからのコマンド信号によって操作される記録再生装置において、前記リモコンに、前記楽曲情報に関する曲名、歌手等の楽曲関連情報を入力可能な楽曲関連情報入力手段を設け、前記リモコンの楽曲関連情報入力手段を介して前記記録再生装置へ入力された楽曲関連情報を２値化信号に変換する２値化手段と、前記２値化手段によって２値化された信号を一時記憶する記憶手段と、前記記憶手段に記憶された２値化信号を、２値にそれぞれ対応する異なった２周波数の音声帯域のアナログ信号に変換して前記音声録再ヘッドへ出力し、ビデオテープのオーディオトラックへ記録させる楽曲関連情報記録手段と、前記ディスク再生部から出力される楽曲情報が前記ビデオテープのビデオトラックにアジマス記録される時に同期して、前記楽曲関連情報記録手段を能動とする同期化手段と、前記楽曲関連情報記録手段及び前記同期化手段によって前記オーディオトラックに楽曲関連情報が記録されたビデオテープを前記ビデオテープ記録再生部において再生する時に、前記音声録再ヘッドによって読み出される２周波数のアナログ信号を２値化信号に変換する変換手段と、前記変換手段によって変換された２値化信号を文字情報に変換して、テレビジョン受信機等の外部表示装置へ出力する文字情報出力手段とを備え、前記コンパクトディスクから読出した楽曲情報を前記ビデオテープのビデオトラックへ記録する時に、前記リモコンの楽曲関連情報入力手段を介してユーザが入力した楽曲関連情報が前記ビデオテープのオーディオトラックに２周波数のアナログ信号として各楽曲情報の先頭位置に記録され、前記ビデオテープを再生する時に、各楽曲情報の先頭位置に記録された楽曲関連情報が、前記音声録再ヘッドにより読み出され、文字情報としてテレビジョン受信機等の外部表示装置へ表示されるものである。
【０００９】
請求項２の発明は、１又は複数の楽曲がデジタル記録されたディスク媒体から楽曲情報を読出し、アナログ信号に変換して出力するディスク再生部と、前記ディスク再生部から出力される楽曲情報を回転ヘッドによってビデオテープのビデオトラックにアジマス記録するビデオテープ記録再生部とが同一筐体内に備えられ、前記ビデオテープ記録再生部には、前記ビデオテープのオーディオトラックへの音声記録を行うと共に、前記オーディオトラックに記録された音声信号の再生を行う音声録再ヘッドを有し、前記ディスク再生部及びビデオテープ記録再生部が、別体のリモコンからのコマンド信号によって操作される記録再生装置において、前記リモコンに、前記楽曲情報に関する曲名、歌手等の楽曲関連情報を入力可能な楽曲関連情報入力手段を設け、前記リモコンの楽曲関連情報入力手段を介して前記記録再生装置へ入力された楽曲関連情報をデジタル信号に変換するデジタル化手段と、前記記憶手段に記憶されたデジタル信号を、各デジタル値に対応する異なった複数周波数のアナログ信号に変換して前記音声録再ヘッドへ出力しビデオテープのオーディオトラックへ記録させる楽曲関連情報記録手段と、前記楽曲関連情報記録手段によって前記オーディオトラックに楽曲関連情報が記録されたビデオテープを前記ビデオテープ記録再生部において再生する時に、前記音声録再ヘッドによって読み出される異なった複数周波数のアナログ信号をデジタル信号に変換する変換手段と、前記変換手段によって変換されたデジタル信号を文字情報に変換して、テレビジョン受信機等の外部表示装置へ出力する文字情報出力手段とを備え、前記ディスク媒体から読出した楽曲情報を前記ビデオテープのビデオトラックへ記録する時に、前記リモコンの楽曲関連情報入力手段を介してユーザが入力した楽曲関連情報が前記ビデオテープのオーディオトラックに複数の異なった周波数のアナログ信号として記録され、前記ビデオテープを再生する時に、楽曲関連情報が、前記音声録再ヘッドにより読み出され、文字情報としてテレビジョン受信機等の外部表示装置へ表示されるものである。
【００１０】
請求項３の発明は、請求項２の記録再生装置において、前記デジタル化手段によってデジタル化された楽曲関連情報を一時記憶し、少なくとも前記ディスク媒体から読出した楽曲情報が前記ビデオテープのビデオトラックへ記録開始されるまで保持する記憶手段をさらに備え、前記記憶手段に記憶された楽曲関連情報は、前記ディスク媒体から読出した各楽曲情報が前記ビデオテープのビデオトラックへ記録される毎に読出されて前記楽曲関連情報記録手段へと送られることを特徴とするものである。
【発明の効果】
【００１１】
請求項１及び請求項３の発明によれば、ＣＤから楽曲情報を読出し、アナログ信号に変換して出力するディスク再生部と、出力される楽曲情報を回転ヘッドによってビデオテープのビデオトラックにアジマス記録するビデオテープ記録再生部とを同一筐体内に備えた記録再生装置において、ＣＤ内の楽曲情報をビデオテープへダビング録音する場合に、ユーザがリモコンを用いて予め、それらの楽曲に関連する曲名、歌手等の情報を入力しておけば、ダビング録音時に、それらの関連情報がビデオテープに記録され、その後、作成されたビデオテープを再生する時には、高い品質で各楽曲が再生されると共に、その楽曲に関連する曲名、歌手等の情報がテレビジョン受信機等の表示装置に表示され、ユーザの興趣が大きく高まる。また、各楽曲の関連情報が、ビデオテープ上で各楽曲の記録された位置に同期して記録されるので、楽曲の頭出しが容易にできる。
【００１２】
請求項２の発明によれば、ディスク媒体から楽曲情報を読出し、アナログ信号に変換して出力するディスク再生部と、出力される楽曲情報を回転ヘッドによってビデオテープのビデオトラックにアジマス記録するビデオテープ記録再生部とを同一筐体内に備えた記録再生装置において、ディスク媒体内の楽曲情報をビデオテープへダビング録音する場合に、ユーザがリモコンを用いて予め、それらの楽曲に関連する曲名、歌手等の情報を入力しておけば、ダビング録音時に、それらの関連情報がビデオテープに記録され、その後、作成されたビデオテープを再生する時には、高い品質で各楽曲が再生されると共に、その楽曲に関連する曲名、歌手等の情報がテレビジョン受信機等の表示装置に表示され、ユーザの興趣が大きく高まる。
【発明を実施するための最良の形態】
【００１３】
本発明を実施するための最良の形態について図面を参照して説明する。図１は、本実施形態の電気的ブロック構成を示す。本実施形態の記録再生装置１は、同一の筐体２内に、少なくともＣＤ３とＤＶＤが装着可能なディスク再生部４と、装着されたビデオテープカセット５のビデオテープ７に映像及び音声の情報をアジマス記録する機能を有するビデオテープ記録再生部６を備えている。
【００１４】
ディスク再生部４は、装着されたＣＤ３（又はＤＶＤ）から光ピックアップ（不図示）を介してＣＤ（又はＤＶＤ）にデジタル記録された楽曲情報を読出し、アナログ信号ａに変換してビデオテープ記録再生部６へ出力する。ビデオテープ記録再生部６は、装着されたビデオテープカセット５からビデオテープ７を引き出し、引き出したビデオテープ７のビデオトラックにアナログ信号をアジマス記録する回転ヘッド８と、ビデオテープのオーディオトラックにアナログ信号を記録する固定の音声録再ヘッド９とを備えている。ビデオテープ記録再生部６が再生モードに切替えられると、回転ヘッド８によってビデオテープ７のビデオトラックにアジマス記録された映像又は音声信号が再生され、音声録再ヘッド９によってビデオテープのオーディオトラックに記録された音声信号が再生される。
【００１５】
図２にビデオテープ７の信号記録フォーマットを示す。ビデオテープ７は、回転ヘッド８によって異なるアジマス角で映像信号と音声信号が記録されるビデオトラック１１と、固定の音声録再ヘッド９によって音声信号が記録されるオーディオトラック１２を有する。ビデオトラック１１への音声信号記録は深層記録によってなされる。
【００１６】
ビデオテープ記録再生部６によって再生された映像信号ｂは、映像出力端子１３を介してテレビジョン受信機１４等の外部表示装置へ出力され、音声信号ｃは音声出力端子１５を介して外部スピーカ１６へ出力される。ディスク再生部４とビデオテープ記録再生部６は、それらを統括して制御するマイクロコンピュータからなる制御部１７に接続され、制御部１７からの制御信号ｄ、ｅによって上記のような種々の動作を実行する。また、筐体２の前面にはリモコン１８からのコマンド信号ｆを受信する、赤外線受信部１９が備えられ、赤外線受信部で受信したコマンド信号ｆが制御部１７に入力される。
【００１７】
リモコン１８は、記録再生装置１全体の電源オンオフスイッチ２１、テレビジョン受信機の画面上でのカーソル操作を行うための十字キー２２、決定キー２３、テンキー２４、ディスク再生部の操作用のキー群２５及びビデオテープ記録再生部の操作用のキー群２６に加えて、ディスク再生部４に装着したＣＤ３（又はＤＶＤ）から再生した楽曲情報ａをビデオテープ記録再生部６内のビデオテープ７へダビング録音する動作を実行させるためのダビング録音実行キー２７を備えている。このダビング録音実行キー２７がユーザにより押されると、制御部１７は、そのコマンド信号ｆを受信して記録再生装置１のモードを切替え、切替え後にリモコン１８から発信されるテンキー２４によるコマンド信号は、その組合せによって特定の平仮名又は片仮名を表示する信号として認識されるようになる。
【００１８】
例えば、最初に「＊」を押した後に「１」と「１」を押せば、平仮名の「あ」が指定され、「１」と「２」を押せば「い」が指定されるように、「＊」に続けて押すキーによって平仮名の列と行が指定される。また、最初に「＃」を押せば、同様に片仮名が指定される。上記のように、本実施形態では、ダビング録音実行キー２７をオンすることによって、テンキー２４が平仮名又は片仮名を入力できる楽曲関連情報入力手段に変換されるが、楽曲関連情報入力手段としては、リモコン１８に平仮名等の文字を直接入力できる専用のキー群を設けるようにしてもよく、種々の形態が可能である。
【００１９】
次に、リモコン１８のダビング録音実行キー２７がオンされた後の制御部１７の動作手順について、図３のフローチャートを参照して説明する。ダビング録音実行キー２７がオンされると、制御部１７は記録再生装置１のモードを切替え、ユーザがリモコン１８のテンキー２４を押すことによって入力されるコマンド信号ｆを楽曲関連情報として認識し（Ｓ１）、その楽曲関連情報を予め決められた規則に従って「１」又は「０」からなる２値化信号に変換する（Ｓ２）。例えば、平仮名と片仮名の５０音を順に８ビット信号に当てはめるとすると、仮に、楽曲関連情報が「きぼう」の３文字の場合には、２４ビットの「１」又は「０」に変換される。変換された２値化信号ｇはメモリ２８に記憶される（Ｓ３）。
【００２０】
次に、ユーザによるリモコン操作によって、ディスク再生部４によるＣＤ３の再生と、再生されて出力された楽曲情報ａのビデオテープ７への記録が開始されると（Ｓ４でＹＥＳ）、制御部１７は、各楽曲情報がビデオテープ７に記録される毎に、メモリ２８に記憶された各楽曲に対応する２値化信号を読出して、「１」又は「０」に対応する２つの周波数の音声信号に変換し、固定の音声録再ヘッド９へ出力してビデオテープ７のオーディオトラック１２へ記録させる（Ｓ５）。例えば、２値化信号「１」に対して２ＫＨｚの所定長さの音声信号が対応し、２値化信号「０」に対して５ＫＨｚの所定長さの音声信号が対応するとして、２４ビットであれば、それら２ＫＨｚ又は５ＫＨｚの音声信号が所定長さの２４倍の長さで連続して記録される。そして、この音声信号Ｓａのオーディオトラック１２上の記録位置は、ビデオトラック１１に記録される各楽曲情報Ｓｂの先頭位置になる。つまり、ステップＳ５により、音声録再ヘッド９による音声信号の記録は、ＣＤ３から再生された各楽曲情報ａのビデオテープのビデオトラック１１への記録開始と同期して開始されるので、ビデオトラック１１上の各楽曲情報Ｓｂの先頭に対応するオーディオトラック１２上に、楽曲関連情報である２ＫＨｚ又は５ＫＨｚの音声信号Ｓａが記録される（図２）。
【００２１】
なお、ディスク再生部４によるＣＤ３の再生と、再生されて出力された楽曲情報ａのビデオテープ７への記録は、ユーザによるリモコン１８操作によって開始されるのではなく、リモコン１８による楽曲関連情報の入力が終了すれば、自動的に開始されるものであってもよい。
【００２２】
メモリ２８内に記憶された各楽曲に対応する２値化信号が全て２ＫＨｚ又は５ＫＨｚの音声信号Ｓａとしてオーディオトラック１２へ記録されれば、楽曲関連情報の記録手順は終了する（Ｓ６でＹＥＳ）。
【００２３】
上述の手順で作成されたビデオテープ７は、図２に示すように、ビデオトラック１１の深層にＣＤ３からの楽曲情報Ｓｂが記録され、オーディオトラック１２に２ＫＨｚ又は５ＫＨｚの音声信号Ｓａとして楽曲関連情報（曲名、歌手等）が記録される。
【００２４】
次に、このようにして作成されたビデオテープ７を再生する手順について、図４のフローチャートを参照して説明する。ビデオテープ記録再生部６においてビデオテープ７の再生が開始されると、回転ヘッド８によるビデオトラック１１に記録された音声信号（楽曲情報）の読取りが開始されると共に、音声録再ヘッド９によるオーディオトラック１２の音声情報Ｓａの読取りが開始され、オーディオトラック１２の再生信号からの２ＫＨｚと５ＫＨｚの周波数の抽出（Ｓ１１）、及びバンドパスフィルタによる各２ＫＨｚの信号と５ＫＨｚ信号の分離が行われる（Ｓ１２）。そして、これら２ＫＨｚと５ＫＨｚの信号を元の２値化信号へ変換し（Ｓ１３）、さらに２値化信号を文字情報へ変換する（Ｓ１４）。上述の例であれば、２４ビットの２値化信号（「１」又は「０」）が、文字情報「きぼう」へと変換される。
【００２５】
変換された文字情報は、記録再生装置１のメモリ２８内に別途記憶された背景画の情報と重畳され（Ｓ１５）、映像信号ｂとしてテレビジョン受信機１４へ出力される（Ｓ１６）。回転ヘッド８によって読取り再生された音声信号ｃは楽曲としてスピーカ１６から出力される。なお、メモリ２８内に記憶する背景画は、記録再生装置１の出荷時に予め記憶したものであってもよいし、ユーザがディスク再生部４に装着したＤＶＤから再生した画面であってもよい。図５にテレビジョン受信機１４に表示される画面の例を示す。この表示画面２９では、楽曲関連情報として曲名３１と歌手の名前３２が表示されているが、作曲者、作詞者等の情報を表示することもできる。
【００２６】
以上のように、本実施形態の記録再生装置１では、ディスク再生部４に装着したＣＤ３から再生される楽曲をビデオテープ記録再生部６に装着したビデオテープ７に記録（ダビング録音）する時に、ユーザがリモコン１８を操作して入力する楽曲関連情報（曲名、歌手等）をビデオテープ７のオーディオトラック１２へ音声信号Ｓａとして記録することができ、そのビデオテープ７を再生すれば、楽曲を高品質で聴くことができると共に、接続したテレビジョン受信機１４等の表示装置で楽曲に関連する情報を文字として見ることができ興趣性が増す。
【００２７】
また、音声信号Ｓａとしてオーディオトラック１２へ記録された楽曲関連情報は、ビデオトラック１１に記録された各楽曲Ｓｂの先頭に記録されるので、楽曲関連情報をサーチすれば楽曲の頭出しが容易に行える。
【００２８】
さらに、ディスク再生部４は、ＣＤ３又はＤＶＤを装着し光ピックアップを介してそれらディスク媒体にデジタル記録された楽曲情報を読出し再生する装置であったが、楽曲情報を磁気的に記録・再生するハードディスク装置であってもよい。
【図面の簡単な説明】
【００２９】
【図１】本発明の一実施形態に係る記録再生装置の電気的ブロック構成を示す図。
【図２】同記録再生装置のビデオテープ記録再生部で記録されたビデオテープの信号記録フォーマットを示す図。
【図３】同記録再生装置における楽曲関連情報の記録手順を示すフローチャート。
【図４】同記録再生装置における楽曲関連情報の再生手順を示すフローチャート。
【図５】同外部表示装置へ出力される画面の例を示す図。
【符号の説明】
【００３０】
１  記録再生装置
２  筐体
３  ＣＤ
４  ディスク再生部
６  ビデオテープ記録再生部
７  ビデオテープ
８  回転ヘッド
９  音声録再ヘッド
１１  ビデオトラック
１２  オーディオトラック
１４  テレビジョン受信機（外部表示装置）
１７  制御部（２値化手段、楽曲関連情報記憶手段、同期化手段、変換手段、文字情報出力手段）
１８  リモコン
２４  テンキー（楽曲関連情報入力手段）
２７  ダビング録音実行キー
２８  メモリ（記憶手段）
Ｓａ  楽曲関連情報としての音声信号
Ｓｂ  楽曲情報
ａ  楽曲情報のアナログ信号
ｆ  コマンド信号
ｇ  ２値化信号
【図１】
2006236455.tif 000003
【図２】
2006236455.tif 000004
【図３】
2006236455.tif 000005
【図４】
2006236455.tif 000006
【図５】
2006236455.tif 000007